(57)【要約】      （修正有）【課題】主制御部及び副制御部を有しており、主制御部側での第一識別情報と副制御部側での第二識別情報とを同期させて表示するタイプのパチンコ遊技機において、連続して同一の第二識別情報の変動態様が選択されず、かつ、一つの第二識別情報変動態様用抽選テーブルで済ませることが可能な手段の提供。【解決手段】主制御部及び副制御部を有しており、主制御部側での第一識別情報と副制御部側での第二識別情報とを同期させて表示するタイプのパチンコ遊技機において、第二識別情報の変動態様を決定するためのＩＤ情報を「主制御部からの変動時間情報」と「副制御部で管理する区別情報」とを組み合わせたものとし、かつ、当該区別情報を変動毎に切り替え得るよう構成したパチンコ遊技機。【選択図】図１４
2010029235.tif 000002
【特許請求の範囲】
【請求項１】
主制御部と副制御部とを有するパチンコ遊技機であって、
第一識別情報を変動表示及び停止表示可能な第一識別情報表示部と、
第二識別情報を変動表示及び停止表示可能な第二識別情報表示部と、
前記主制御部は、前記第一識別情報を管理しており、
前記副制御部は、前記第二識別情報を管理しており、
遊技球が入球可能な始動口と、
開状態と閉状態を採り得る可変入賞口と、
前記始動口への遊技球の入球に基づき、前記第一識別情報の変動内容及び停止識別情報を決定する、第一識別情報表示内容決定手段と、
前記第一識別情報表示内容決定手段により決定された前記第一識別情報の変動内容及び停止識別情報に関する主遊技情報を前記副制御部に送信する、遊技情報送信手段と、
前記第一識別情報表示内容決定手段により決定された表示内容に従い、前記第一識別情報表示部で前記第一識別情報を前記変動内容で変動表示した後、前記停止識別情報を表示するよう制御する、第一識別情報表示制御手段と、
前記第一識別情報の前記停止識別情報が所定態様である場合、前記可変入賞口を前記閉状態から前記開状態とする特別遊技を実行する、特別遊技制御手段と、
前記遊技情報送信手段から送信された前記主遊技情報に基づき、前記第二識別情報の変動内容と停止識別情報を決定する、第二識別情報表示内容決定手段と、
前記第二識別情報表示内容決定手段により決定された表示内容に従い、前記第一識別情報と同期した形で、前記第二識別情報表示部で前記第二識別情報を前記変動内容で変動表示した後、前記停止識別情報を表示するよう制御する、第二識別情報表示制御手段と
を有するパチンコ遊技機において、
前記第二識別情報表示内容決定手段は、
前記第二識別情報の前記変動内容を決定するための変動内容決定用テーブル
を更に有しており、
前記変動内容決定用テーブルには、前記第二識別情報の前記変動内容を特定するＩＤ情報が変動内容毎に記録されており、当該ＩＤ情報は、変動時間に関係する変動時間情報と同一変動時間に属する変動内容同士を区別するための区別情報とから構成されており、
前記第二識別情報表示内容決定手段は、
前記区別情報を一時記憶可能な区別情報一時記憶部と、
前記区別情報一時記憶部内の区別情報を書き換える区別情報書換制御部
を更に有しており、
前記第二識別情報表示内容決定手段は、前記第二識別情報の表示内容を決定するに際し、前記主制御部から送信された変動時間情報と前記区別情報一時記憶部に一時記憶された区別情報とに基づき、前記変動内容決定用テーブルを参照して、当該変動時間情報及び当該区別情報とから構成されるＩＤ情報に対応した変動内容を決定し、かつ
前記区別情報書換制御部は、
前記第二識別情報の変動の度に前記区別情報の書換えを実行し得る
ことを特徴とするパチンコ遊技機。
【請求項２】
前記区別情報書換制御部は、前記第二識別情報の変動の度に前記区別情報の書換えを規則的に実行し得る、請求項１記載のパチンコ遊技機。
【請求項３】
前記区別情報書換制御部は、前記主制御部からの前記主遊技情報が所定情報である場合には、前記区別情報の書換えを不規則的に実行するか書換え自体を実行しない、請求項２記載のパチンコ遊技機。
【発明の詳細な説明】
【技術分野】
【０００１】
本発明は、遊技媒体払出と直結する主制御部と遊技の興趣性を高める演出を実行する副制御部を有するパチンコ遊技機であって、特に、主制御部側で管理する第一識別情報と副制御部側で管理する第二識別情報とを同期させるために、主制御部側から当該部で決定した主遊技情報を副制御部側に送信し、これを受けた副制御部側で第二識別情報の変動内容を決定するタイプのパチンコ遊技機に関する。
【背景技術】
【０００２】
現在最も普及しているパチンコ遊技機は、始動口（スタートチャッカー）に遊技球が入球したことを契機として、７セグ等の表示部上で「特別図柄」と称される図柄が変動表示され、当該特別図柄が特定態様（例えば「７」）となった場合、通常遊技状態よりも遊技者にとって利益状態の高い特別遊技状態｛通常時は閉状態にある大入賞口（アタッカー）が所定条件で開放する内容の遊技｝に移行するタイプの、いわゆる「デジパチ」と呼ばれている機種（従来の「第一種遊技機」）である。ここで、遊技者の利益に直結する特別図柄の表示制御の負担を軽減するために、前記の「特別図柄」とは別に、遊技の興趣性を高めるための演出用の「装飾図柄」と称される図柄が、前記特別図柄の変動と同期した形で、前記表示部よりもサイズが大きい液晶等のディスプレー上で変動表示される。そして、特別図柄の変動が開始されると装飾図柄もこれに合わせて変動を開始し、特別図柄が特定態様（例えば「７」）で停止した場合、装飾図柄もこれに合わせて所定態様（例えば「７７７」）で停止することとなる。そして、遊技者は、装飾図柄が所定態様で停止したことにより、特別遊技へ移行が確定したことを認識する。
【０００３】
ここで、特別図柄と装飾図柄とを同期させるための手法の一例は以下の通りである。まず、主制御部は、特別図柄の変動態様（例えば変動時間情報）及び停止態様の決定を実行する。その後、主制御部は、当該決定情報を副制御部側に送信する。この際、主制御部から送信される情報は、例えば、当該変動の当否情報、図柄変動態様情報（例えば変動時間情報）、当該変動が当たりであった場合の当該当たり後の特定遊技情報等、である。そして、当該決定情報を受信した副制御部は、当該変動の当否情報に基づき装飾図柄の変動態様を決定する際に参照するテーブルをセットした上で、当該変動の変動態様情報に基づき特別図柄の変動時間と同一時間の変動態様を選択して装飾図柄の変動態様を決定する。このような処理を実行することで、特別図柄の変動時間と装飾図柄の変動時間とを同一化することができる。次に、主制御部は、特別図柄の表示制御処理を実行する。この際、主制御部は、特別図柄の変動開始時点で副制御部側に装飾図柄変動開始コマンドを送信する。副制御部は、当該コマンドを受けて装飾図柄の変動を開始する。そして、主制御部は、特別図柄の変動終了時点で副制御部側に装飾図柄変動終了コマンドを送信し確定停止図柄を表示する。他方、副制御部は、当該コマンドを受けて装飾図柄の変動を終了し確定停止図柄を表示する。
【特許文献１】特開２００５−０５２６６６
【発明の開示】
【発明が解決しようとする課題】
【０００４】
ここで、主制御部側から送信された図柄の変動態様情報（特にリーチ変動態様）が連続して同じ変動時間のものである場合、装飾図柄のリーチ変動態様も同一のものが選択される場合がある。このような同一演出の乱出を回避するため、従来のパチンコ遊技機では、ある装飾図柄変動態様が選択された場合、次の変動において当該変動態様が選択されないよう、直前に選択された装飾図柄変動態様毎のテーブルを用意し、状況に応じてテーブルを使い分ける必要があった。そこで、本発明は、主制御部及び副制御部を有しており、主制御部側での第一識別情報と副制御部側での第二識別情報とを同期させて表示するタイプのパチンコ遊技機において、連続して同一の第二識別情報の変動態様が選択されず、かつ、一つの第二識別情報変動態様用抽選テーブルで済ませることが可能な手段を提供することを目的とする。
【課題を解決するための手段】
【０００５】
本発明（１）は、主制御部と副制御部とを有するパチンコ遊技機であって、
第一識別情報（特別図柄）を変動表示及び停止表示可能な第一識別情報表示部（特図表示部２１３１）と、
第二識別情報（装飾図柄）を変動表示及び停止表示可能な第二識別情報表示部（装図表示部２１４１）と、
前記主制御部は、前記第一識別情報（特別図柄）を管理しており、
前記副制御部は、前記第二識別情報（装飾図柄）を管理しており、
遊技球が入球可能な始動口（特図始動口２１１０）と、
開状態と閉状態を採り得る可変入賞口（大入賞口２１２０）と、
前記始動口（特図始動口２１１０）への遊技球の入球に基づき、前記第一識別情報（特別図柄）の変動内容及び停止識別情報を決定する、第一識別情報表示内容決定手段（特図内容決定手段１１４１）と、
前記第一識別情報表示内容決定手段（特図内容決定手段１１４１）により決定された前記第一識別情報（特別図柄）の変動内容及び停止識別情報に関する主遊技情報を前記副制御部に送信する、遊技情報送信手段（情報送信手段１２００）と、
前記第一識別情報表示内容決定手段（特図内容決定手段１１４１）により決定された表示内容に従い、前記第一識別情報表示部（特図表示部２１３１）で前記第一識別情報（特別図柄）を前記変動内容で変動表示した後、前記停止識別情報を表示するよう制御する、第一識別情報表示制御手段（特図制御手段１１５１）と、
前記第一識別情報（特別図柄）の前記停止識別情報が所定態様である場合、前記可変入賞口（大入賞口２１２０）を前記閉状態から前記開状態とする特別遊技を実行する、特別遊技制御手段（特別遊技制御手段１１７０）と、
前記遊技情報送信手段（情報送信手段１２００）から送信された前記主遊技情報に基づき、前記第二識別情報（装飾図柄）の変動内容と停止識別情報を決定する、第二識別情報表示内容決定手段（装図表示内容決定手段２１５２ａ−１）と、
前記第二識別情報表示内容決定手段（装図表示内容決定手段２１５２ａ−１）により決定された表示内容に従い、前記第一識別情報（特別図柄）と同期した形で、前記第二識別情報表示部（装図表示部２１４１）で前記第二識別情報（装飾図柄）を前記変動内容で変動表示した後、前記停止識別情報を表示するよう制御する、第二識別情報表示制御手段（装飾図柄表示制御手段２１５２ａ）と
を有するパチンコ遊技機において、
前記第二識別情報表示内容決定手段（装図表示内容決定手段２１５２ａ−１）は、
前記第二識別情報（装飾図柄）の前記変動内容を決定するための変動内容決定用テーブル（装図変動内容決定用抽選テーブル２１５２ａ−１−１）
を更に有しており、
前記変動内容決定用テーブル（装図変動内容決定用抽選テーブル２１５２ａ−１−１）には、前記第二識別情報（装飾図柄）の前記変動内容を特定するＩＤ情報が変動内容毎に記録されており、当該ＩＤ情報は、変動時間に関係する変動時間情報と同一変動時間に属する変動内容同士を区別するための区別情報とから構成されており、
前記第二識別情報表示内容決定手段（装図表示内容決定手段２１５２ａ−１）は、
前記区別情報を一時記憶可能な区別情報一時記憶部（サブパターン番号カウンタ２１５２ａ−１−２−２）と、
前記区別情報一時記憶部（サブパターン番号カウンタ２１５２ａ−１−２−２）内の区別情報を書き換える区別情報書換制御部（サブパターン番号決定手段２１５２ａ−１−２）
を更に有しており、
前記第二識別情報表示内容決定手段（装図表示内容決定手段２１５２ａ−１）は、前記第二識別情報（装飾図柄）の表示内容を決定するに際し、前記主制御部から送信された変動時間情報と前記区別情報一時記憶部（サブパターン番号カウンタ２１５２ａ−１−２−２）に一時記憶された区別情報とに基づき、前記変動内容決定用テーブル（装図変動内容決定用抽選テーブル２１５２ａ−１−１）を参照して、当該変動時間情報及び当該区別情報とから構成されるＩＤ情報に対応した変動内容を決定し、かつ
前記区別情報書換制御部（サブパターン番号決定手段２１５２ａ−１−２）は、
前記第二識別情報（装飾図柄）の変動の度に前記区別情報の書換えを実行し得る
ことを特徴とするパチンコ遊技機である。
【０００６】
本発明（２）は、前記区別情報書換制御部（サブパターン番号決定手段２１５２ａ−１−２）は、前記第二識別情報（装飾図柄）の変動の度に前記区別情報の書換えを規則的に実行し得る、前記発明（１）のパチンコ遊技機である。
【０００７】
本発明（３）は、前記区別情報書換制御部（サブパターン番号決定手段２１５２ａ−１−２）は、前記主制御部からの前記主遊技情報が所定情報である場合には、前記区別情報の書換えを不規則的に実行するか書換え自体を実行しない、前記発明（２）のパチンコ遊技機である。
【０００８】
ここで、本特許請求の範囲及び本明細書における各用語の意義について説明する。まず、「入球」とは、賞球が払い出させる入賞のみならず、遊技者に対して何らかの利益状態を生じ得るもの一切を包含する概念であり、いわゆる「スルーチャッカー」や入賞口を含む。「入賞」とは、賞球払出に関連する概念である。「識別情報」とは、視覚的に認識可能なものであれば特に限定されず、例えば、数字、文字、図柄等を挙げることができる（例えば、第一識別情報は特別図柄、第二識別情報は装飾図柄）。「開状態」とは、遊技球が流入可能な状態や流入し易い状態を指し、「閉状態」とは、遊技球が流入不能な状態や遊技球が流入困難な状態を指す。「入球に基づき」とは、識別情報の変動内容や停止識別情報を入球時に取得した乱数から直接的に決定する場合のみならず、当該乱数から直接決定された事項から間接的に決定する場合も包含する（例えば、停止図柄を乱数から直接決定し、当該停止図柄から変動内容を決定する場合、特別図柄を乱数から直接決定し、当該特別図柄から装飾図柄を決定する場合）。ここで、「乱数」とは、パチンコ遊技機において何らかの遊技内容を決定するための抽選（電子計算機によるくじ）に使用される乱数（遊技内容決定乱数）であり、例えば、遊技の結果に影響を与えるいわゆる「基本乱数」、具体的には、特別遊技の移行と関連した「当選乱数」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当たり図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一つの乱数（例えば当選乱数）が、別の乱数（例えば図柄決定乱数）を兼ねていてもよい。
【発明の効果】
【０００９】
本発明（１）によれば、主制御部及び副制御部を有しており、主制御部側での第一識別情報と副制御部側での第二識別情報とを同期させて表示するタイプのパチンコ遊技機において、第二識別情報の変動態様を決定するためのＩＤ情報を「主制御部からの変動時間情報」と「副制御部で管理する区別情報」とを組み合わせたものとし、かつ、当該区別情報を変動毎に切り替え得るよう構成したので、連続して同一の第二識別情報の変動態様が選択されず、かつ、一つの第二識別情報変動態様用抽選テーブルで済ませることが可能になるという効果を奏する。
【００１０】
本発明（２）によれば、前記効果に加え、変動の度に区別情報を規則的に実行するよう構成されているので、前の変動と次の変動とを確実に異ならしめることが可能になるという効果を奏する。
【００１１】
本発明（３）によれば、前記効果に加え、主制御部からの主遊技情報が所定情報である場合には、区別情報の書換えを不規則的に実行するか書換え自体を実行しないよう構成されているので、パターン崩れに基づく興奮感を遊技者に付与することが可能になるという効果を奏する。
【発明を実施するための最良の形態】
【００１２】
以下、本発明の最良形態を説明する。尚、以下の最良形態は、従来の第１種パチンコ遊技機に関するものであるが、これに限定されず、例えば他の遊技機｛例えば、従来の第２種や第３種、一般電役、複合機（例えば、従来の第１種の機能を二つ有する遊技機や、従来の第１種の機能と従来の第２種の機能を一つ有する遊技機）といったパチンコ遊技機や、雀球遊技機、アレンジボールといった他の遊技機｝に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。
【００１３】
まず、図１を参照しながら、本最良形態に係るパチンコ遊技機の前面側の基本構造を説明する。パチンコ遊技機は、主に遊技機枠と遊技盤で構成される。以下、これらを順に説明する。
【００１４】
はじめに、パチンコ遊技機の遊技機枠は、外枠１０２、前枠１０４、透明板１０６、扉１０８、上球皿１１０、下球皿１１２及び発射ハンドル１１６を含む。まず、外枠１０２は、パチンコ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。
【００１５】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、特図始動口２１１０、普図始動口２２１０、大入賞口２１２０、特別図柄表示装置２１３０、演出表示装置２１４０、普通図柄表示装置２２２０、センター飾り１９２及びアウト口１４２が設置されている。以下、各要素を順番に詳述する。
【００１６】
まず、特図始動口２１１０は、主遊技に対応する始動入賞口として設置されている。具体的構成としては、特図始動口２１１０は、特図始動口入球検出装置２１１１と、特図始動口電動役物２１１２と、特図始動口電動役物２１１２を開閉させるための特図始動口電動役物ソレノイド２１１２ａとを備える。ここで、特図始動口入球検出装置２１１１は、特図始動口２１１０への遊技球の入球を検出するセンサであり、入球時にその入球を示す特図始動口入球情報を生成する。次に、特図始動口電動役物２１１２は、特図始動口２１１０に遊技球が入賞し得る通常状態と当該通常状態よりも遊技球が入賞し易い開放状態に可変する。
【００１７】
次に、普図始動口２２１０は、普図始動口入球検出装置２２１１を備える。ここで、普図始動口入球検出装置２２１１は、普図始動口２２１０への遊技球の入球を検出するセンサであり、入球時にその入球を示す普図始動口入球情報を生成する。尚、普図始動口２２１０への遊技球の入球は、特図始動口２１１０の特図始動口電動役物２１１２を拡開させるための抽選の契機となる。
【００１８】
次に、大入賞口２１２０は、特別図柄が所定態様で停止した場合に開状態となる、横長方形状を成しアウト口１４２の上方に位置した、主遊技に対応した入賞口である。具体的構成としては、大入賞口２１２０は、遊技球の入球を検出するための大入賞口入賞検出装置２１２１と、大入賞口電動役物２１２２と、大入賞口電動役物２１２２を開閉させるための大入賞口電動役物ソレノイド２１２２ａとを備える。ここで、大入賞口入賞検出装置２１２１は、大入賞口２１２０への遊技球の入球を検出するセンサであり、入球時にその入球を示す大入賞口入球情報を生成する。大入賞口電動役物２１２２は、大入賞口２１２０に遊技球が入賞不能又は入賞困難な通常状態と遊技球が入賞し易い開放状態に大入賞口２１２０を可変させる。
【００１９】
次に、特別図柄表示装置２１３０は、主遊技に対応する特別図柄の変動表示及び停止表示を行う。具体的構成としては、特別図柄表示装置２１３０は、特図表示部２１３１と、特図保留表示部２１３２とを備える。ここで、特図保留表示部２１３２は、４個のランプから構成され、当該ランプの点灯個数が、主遊技に係る乱数の保留数（実行されていない特別図柄の変動数）に相当する。尚、特別図柄表示装置２１３０は、例えば７セグメントＬＥＤで構成され、特別図柄は、「０」〜「９」の１０種類の数字及びハズレの「−」で表示される。
【００２０】
尚、特別図柄は必ずしも演出的な役割を持つ必要が無いため、本最良形態では、特別図柄表示装置２１３０の大きさは、目立たない程度に設定されている。しかしながら、特別図柄自体に演出的な役割を持たせて装飾図柄を表示させないような手法を採用する場合には、後述する演出表示装置２１４０のような液晶ディスプレーに、特別図柄を表示させるように構成してもよい。
【００２１】
次に、演出表示装置２１４０は、主として、特別図柄と連動して変動・停止する装飾図柄を含む演出画像の変動表示及び停止表示が行われる。具体的構成としては、演出表示装置２１４０は、装図表示部２１４１と、装図保留表示部２１４２とを備える。ここで、装図表示部２１４１は、例えば、スロットマシンのゲームを模した複数列の装飾図柄変動の動画像を画面の中央領域に表示する。尚、演出表示装置２１４０は、本最良形態では液晶ディスプレーで構成されているが、機械式のドラムやＬＥＤ等の他の表示手段で構成されていてもよい。次に、装図保留表示部２１４２は、４個のランプから構成され、当該ランプは、特別図柄の保留ランプと連動している。
【００２２】
次に、普通図柄表示装置２２２０は、普通図柄の変動表示及び停止表示が行われる。具体的構成としては、普通図柄表示装置２２２０は、普図表示部２２２１と、普図保留表示部２２２２とを備える。ここで、普図保留表示部２２２２は、４個のランプから構成され、当該ランプの点灯個数が、普通図柄変動の保留数（実行されていない普通図柄変動の数）に相当する。
【００２３】
最後に、センター飾り１９２は、演出表示装置２１４０の周囲に設置され、遊技球の流路、演出表示装置２１４０の保護、装飾等の機能を有する。また、遊技効果ランプ１９０は、遊技領域１２０又は遊技領域１２０以外の領域に設けられ、点滅等することで演出の役割を果たす。
【００２４】
次に、図２を参照しながら、パチンコ遊技機の背面側における基本構造を説明する。パチンコ遊技機は、パチンコ遊技機の全体動作を制御し、特に特図始動口２１１０へ入球したときの抽選等、遊技動作全般の制御（即ち、遊技者の利益と直接関係する制御）を行う主制御装置（メイン基板）１０００と、遊技内容に興趣性を付与する装図表示部２１４１上での各種演出・情報報知に係る表示制御を行う演出表示制御手段（サブ基板）２１５０と、遊技の興趣性を高める演出が表示される演出表示装置２１４０と、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出装置３０００と、上球皿１１０の遊技球（貯留球）を遊技領域１２０へ１球ずつ発射する発射装置２３２と、発射装置２３２の発射動作を制御する発射制御基板２３０と、パチンコ遊技機の各部へ電力を供給する電源ユニット２９０と、パチンコ遊技機の電源をオンオフするスイッチである電源スイッチ２９２等が、前枠１０４裏面（遊技側と反対側）に設けられている。
【００２５】
次に、図３のブロック図を参照しながら、本最良形態に係るパチンコ遊技機の各種機能について説明する。はじめに、主制御装置１０００は、遊技に係る遊技周辺機器２０００と、主制御装置１０００からの払出指示に基づき所定数の賞球の払出制御を行う賞球払出装置３０００と、情報伝達可能に接続されている。その他、図示しないが、各種遊技効果ランプ１９０（例えばサイドランプ）やスピーカ１１４等とも電気的に接続されている。尚、主制御装置１０００等は、ハードウエア的にはデータやプログラムを格納するＲＯＭやＲＡＭ、演算処理に用いるＣＰＵ等の素子等から構成される。尚、以下で主制御装置１０００に含まれるとする各手段を周辺機器（例えば、遊技周辺機器２０００）に搭載される形で構成してもよい。例えば、本最良形態では、主制御装置１０００に払出制御機能を持たせているが、例えば賞球払出装置３０００内に持たせるように構成してもよい。同様に、周辺機器（例えば、遊技周辺機器２０００）に含まれるとする各手段を主制御装置１０００に搭載される形で構成してもよい。以下、上記各手段（装置）の詳細を説明する。
【００２６】
まず、主制御装置１０００は、主遊技（特別遊技等）・補助遊技・一般遊技に関する主たる制御を司る遊技制御手段１１００と、遊技周辺機器２０００側に各種遊技情報｛例えば、停止図柄情報、停止図柄の属性情報（例えば、確率変動大当たり、突然確率変動大当たり、時間短縮変動大当たり、小当たり、ハズレ）、変動態様に関する情報（例えば、変動時間）、特別遊技の開始信号・状態情報・終了信号、保留情報等｝を送信するための情報送信手段１２００と、各種入賞口への遊技球の入賞に基づき所定の賞球の払出を行うように賞球払出装置３０００を制御する賞球払出決定手段１３００とを有している。
【００２７】
ここで、遊技制御手段１１００は、各入球口（始動口等）への遊技球の流入を判定するための入球判定手段１１１０と、各乱数の取得可否を判定し、当該判定結果に基づき当該各乱数を取得するための乱数取得判定実行手段１１２０と、変動表示中における各始動口への入球を保留球として上限個数以内で一時記憶するための保留制御手段１１３０と、後述する遊技内容決定乱数（当選乱数）に基づき当たりであるか否かを抽選する当否抽選手段１１３５と、各乱数に基づき、各図柄の停止図柄及び変動態様（変動時間等）を決定するための図柄内容決定手段１１４０と、各図柄の変動及び停止表示する制御を行うための表示制御手段１１５０と、特図始動口２１１０の特図始動口電動役物２１１２の開閉決定に直接関連する各種処理を行うための電チュー開閉制御手段１１６０と、通常遊技よりも遊技者に有利な特別遊技に関する制御を司る特別遊技制御手段１１７０と、主遊技及び補助遊技に関し、現在の遊技状態をどの遊技状態に移行させるかの決定と、当該決定に基づき遊技状態を移行させる処理を行うための特定遊技制御手段１１８０と、現在の遊技状態［例えば、主遊技に関する状態｛通常遊技状態、特定遊技状態（確率変動遊技状態、時間短縮遊技状態）、特別遊技状態｝、補助遊技に関する状態（易開放状態、非易開放状態）、特別図柄に係る停止図柄及び変動態様情報、各種フラグのオンオフ状況、特別遊技中の遊技状態（例えばラウンド数や入賞個数情報）］等を一時記憶するための遊技状態一時記憶手段１１９０とを有している。以下、各手段について詳述する。
【００２８】
まず、入球判定手段１１１０は、特図始動口２１１０へ遊技球が入球したか否かを判定する特図始動口入球判定手段１１１１と、普図始動口２２１０に遊技球が流入したか否かを判定する普図始動口入球判定手段１１１２とを有している。
【００２９】
次に、乱数取得判定実行手段１１２０は、特図始動口２１１０への遊技球の入球に基づき遊技内容決定乱数を取得するか否かを判定すると共に、判定結果に応じて当該乱数（例えば、当選乱数、変動態様決定乱数、特別図柄決定乱数等）を取得する特図乱数取得判定実行手段１１２１と、普通図柄当選乱数の取得の可否を判定し、当該判定結果に基づき当該乱数を取得するための普図乱数取得判定実行手段１１２２とを有している。
【００３０】
ここで、上記を含め本特許請求の範囲及び本明細書における「乱数」は、例えば、乱数の種類により割り振られた「０」〜「６５５３５」（当選乱数）や「０」〜「２５５」（変動態様決定乱数）といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００３１】
次に、保留制御手段１１３０は、特別図柄変動許可が下りていない状況で取得した当該遊技内容決定乱数を一時記憶するか否かを判定し、当該判定結果に基づき前記乱数を図柄変動許可が下りるまで特図保留情報一時記憶手段１１３１ａに保留するための第１特図保留手段１１３１と、普通図柄変動許可が下りていない状況で取得した当該遊技内容決定乱数を一時記憶するか否かを判定し、当該判定結果に基づき前記乱数を図柄変動許可が下りるまで普図保留情報一時記憶手段１１３２ａに保留するための普図保留手段１１３２とを有している。ここで、特図保留手段１１３１及び普図保留手段１１３２は、最大４個まで記憶可能な、前記乱数を保留順序と結合した形で一時記憶するための、特図保留情報一時記憶手段１１３１ａ及び普図保留情報一時記憶手段１１３２ａを夫々有している。
【００３２】
次に、当否抽選手段１１３５は、当否抽選の結果、当たりである場合に特別遊技への移行決定をする（例えば、内部的に当たりフラグをオンにする）特別遊技移行決定手段１１３５ａと、当否抽選を行う際に参照される当否抽選用テーブル１１３５ｂと、を有している。ここで、当否抽選用テーブル１１３５ｂは、特別図柄に関しての大当たり抽選を行う際に参照される特図用大当たり抽選テーブル１１３５ｂ−１と、特別図柄に関しての小当たり抽選を行う際に参照される特図用小当たり抽選テーブル１１３５ｂ−２と、を有している。尚、各抽選テーブルは、図示しないが、遊技状態毎に異なるテーブルを有している。例えば、各抽選テーブルは、通常遊技状態（時間短縮遊技状態）の際に用いられる低確率抽選用テーブルと、確率変動遊技状態の際に用いられる高確率抽選用テーブルと、を有する。
【００３３】
次に、図柄内容決定手段１１４０は、取得した遊技内容決定乱数に基づき、特別図柄の停止図柄と変動態様（変動時間等）を決定する特図内容決定手段１１４１と、取得した普通図柄当選乱数に基づき普通図柄の停止図柄を決定する普図内容決定手段１１４２とを有している。
【００３４】
ここで、特図内容決定手段１１４１は、特別図柄に係る停止図柄や変動態様を決定する際に参照される特図内容決定用抽選テーブル１１４１ａを有しており、当該特図内容決定用抽選テーブル１１４１ａは、当否結果・遊技状態・保留球数に応じて異なる各種抽選テーブルを備えている（例えば、遊技状態に関しては、通常遊技→特図通常遊技状態用抽選テーブル、確率変動遊技→特図確率変動遊技状態用抽選テーブル、時間短縮遊技→特図時間短縮遊技状態用抽選テーブル）。更に、普図内容決定手段１１４２は、普通図柄に係る停止図柄を決定する際に参照される普図内容決定用抽選テーブル１１４２ａを有しており、当該普図内容決定用抽選テーブル１１４２ａは、遊技状態に応じて異なる各種当選テーブルを備えている（通常遊技→普図通常用抽選テーブル、確率変動遊技及び時間短縮遊技→普図時間短縮用抽選テーブル）。
【００３５】
ここで、表１は、特図内容決定用抽選テーブル１１４１ａの一例である。表１から分かるように、特別図柄の変動態様は、変動時間が異なる複数のパターンが存在し、各変動態様には所定の乱数範囲が割り振られている。そして、特図内容決定手段１１４１は、前記取得した遊技内容決定乱数値（変動態様決定乱数値）が前記いずれの乱数範囲に属するかを判断することにより、当該変動における特別図柄の変動態様を決定する。尚、後述するように、前記変動時間は、装飾図柄の変動態様を決定する際に参照されるキーとなる情報である。
【表１】
2010029235.tif 000003
【００３６】
次に、表示制御手段１１５０は、特別図柄表示装置２１３０の特図表示部２１３１上で、所定時間特別図柄を変動させた後に停止表示する制御を行う特図制御手段１１５１と、普通図柄表示装置２２２０の普図表示部２２２１上で、所定時間普通図柄を変動させた後に停止表示する制御を行う普図制御手段１１５２とを有している。
【００３７】
ここで、特図制御手段１１５１は、前記特図内容決定手段１１４１により決定された変動態様に係る変動時間を管理するための特図変動時間管理手段１１５１ａを更に有している。また、特図変動時間管理手段１１５１ａは、ゼロクリア可能な特図変動管理用タイマ１１５１ａ−１（デクリメントカウンタ）を更に有している。更に、普図制御手段１１５２は、普通図柄表示装置２２２０の普図表示部２２２１上での普通図柄の変動時間を管理するための普図変動時間管理手段１１５２ａを有している。また、普図変動時間管理手段１１５２ａは、時間を計測可能な普図変動管理用タイマ１１５２ａ−１を更に備えている。
【００３８】
次に、電チュー開閉制御手段１１６０は、特図始動口２１１０の特図始動口電動役物２１１２を開閉する処理を行うための条件を充足しているか否かを判定するための条件判定手段１１６１と、特図始動口２１１０の特図始動口電動役物２１１２の駆動（開放）時間を計測する開放タイマ１１６２とを有している。
【００３９】
次に、特別遊技制御手段１１７０は、特別遊技に移行するための条件を充足しているか否か、具体的には、当たりに当選している（当たりフラグが発生している）か否かの判定と共に、特別図柄が所定態様で停止したか否かを判定する条件判定手段１１７１と、特別遊技移行条件を充足している場合、当該特別遊技の内容（具体的には、ラウンド数、ラウンド間時間等）を特別遊技関連情報一時記憶手段１１９１ｃ中にセットする特別遊技内容決定手段１１７２と、大入賞口２１２０を所定条件で開状態にするという特別遊技を実行するための特別遊技実行手段１１７３と、特別遊技に関する各種処理の時間管理を行うための特別遊技時間管理手段１１７４とを有している。ここで、特別遊技時間管理手段１１７４は、時間を計測可能な特別遊技用タイマ１１７４ａを更に有している。また、特別遊技内容決定手段１１７２は、特別遊技関連情報一時記憶手段１１９１ｃにセットされるべき前記特別遊技の内容を特定する際に参照される特別遊技内容参照テーブル１１７２ａを更に有している。
【００４０】
次に、特定遊技制御手段１１８０は、特定遊技状態の終了条件を充足しているか否かを判定する特定遊技終了条件判定手段１１８１を有している。ここで、特定遊技終了条件判定手段１１８１は、時短回数をカウント可能な時短回数カウンタ１１８１ａを更に有している。ここで、「特定遊技」とは、例えば、特別遊技への抽選確率が通常遊技時よりも高い確率変動遊技や、特別図柄の変動時間が通常遊技時よりも相対的に短い時間短縮遊技を指す。
【００４１】
ここで、本最良形態においては、時短回数は１００回であり、当該時短中には、非時短中と比較して、特別図柄の変動時間が相対的に短縮される（時間短縮機能）。更に、普通図柄の変動時間も相対的に短縮されると共に、特図始動口２１１０の特図始動口電動役物２１１２の開放時間が相対的に延長される（開放時間延長機能）。尚、上記の特定遊技終了条件判定手段１１８１は、例えば、回数制限付きの確率変動遊技において終了回数に到達したか否かを判定する機能を有していたり（回数制限付確率変動遊技機能を有するパチンコ遊技機の場合）、図柄変動の度に所定確率で特定遊技（例えば確率変動遊技や時間短縮遊技）から通常遊技への移行抽選を行う機能を有していてもよい（転落抽選機能を有するパチンコ遊技機の場合）。
【００４２】
次に、遊技状態一時記憶手段１１９０は、主遊技における現在の遊技状態を一時記憶するための主遊技状態一時記憶手段１１９１と、補助遊技における現在の遊技状態を一時記憶するための補助遊技状態一時記憶手段１１９２とを有している。
【００４３】
ここで、主遊技状態一時記憶手段１１９１は、各種遊技状態における各種フラグのオンオフ情報を一時記憶するためのフラグ一時記憶手段１１９１ａと、現在変動中の特別図柄（変動開始条件が成立した特別図柄）に係る停止図柄及び変動態様情報を一時記憶するための特図情報一時記憶手段１１９１ｂと、特別遊技に関する情報（例えば、ラウンド数、任意のラウンドにおける遊技球の入賞個数等）を一時記憶するための特別遊技関連情報一時記憶手段１１９１ｃとを有している。
【００４４】
また、補助遊技状態一時記憶手段１１９２は、補助遊技に関する情報（例えば、普通図柄当選フラグ・普通図柄変動中フラグ・開放延長フラグ・電チュー開放中フラグ・時間短縮フラグ等の各種フラグのオンオフ情報）を一時記憶するための補助遊技関連情報一時記憶手段１１９２ａと、現在変動中の普通図柄（変動開始条件が成立した普通図柄）に係る停止図柄等の情報を一時記憶するための普図情報一時記憶手段１１９２ｂとを有している。
【００４５】
次に、遊技周辺機器２０００について説明する。尚、一部の周辺機器については既に詳細構成を述べたので、残る構成について説明する。まず、遊技周辺機器２０００は、主遊技側の周辺機器である主遊技周辺機器２１００と、補助遊技に関する補助遊技周辺機器２２００とを有している。以下、これらの周辺機器を順番に説明する。
【００４６】
まず、主遊技周辺機器２１００は、特別遊技移行の契機となる特図始動口２１１０と、通常遊技の際には閉状態にあり、特別遊技の際には所定条件下で開状態となる大入賞口２１２０と、特別図柄の停止表示及び変動表示が可能な特別図柄表示装置２１３０と、装飾図柄の停止表示及び変動表示・特別遊技中の遊技進行状況を示す表示を含め、演出に係る表示を行う演出表示装置２１４０と、演出に係る一切の表示制御を司る演出表示制御手段２１５０とを有している。
【００４７】
ここで、演出表示制御手段２１５０は、主制御装置１０００側からの各種情報を受信するための表示情報受信手段２１５１と、主制御装置１０００側からの前記情報に基づき、演出表示装置２１４０上で演出表示制御を行う表示制御手段２１５２とを有している。以下、上記各手段を詳述する。
【００４８】
まず、表示情報受信手段２１５１は、主制御装置１０００側からの主遊技に関する図柄情報を一時記憶するためのメイン側情報一時記憶手段２１５１ａを有している。尚、メイン側情報一時記憶手段２１５１ａに一時記憶された図柄情報は、以下で説明する各処理において、後述の各種手段により必要に応じ適宜参照される。
【００４９】
次に、表示制御手段２１５２は、演出表示装置２１４０の装図表示部２１４１上での装飾図柄の変動表示や停止表示に関する制御を司る装飾図柄表示制御手段２１５２ａと、演出表示装置２１４０の装図保留表示部２１４２上での保留情報の表示処理に関する一切の制御を司る装図保留情報表示制御手段２１５２ｂと、当該演出の際に当該演出に関連する情報を一時記憶する演出表示関連情報一時記憶手段２１５２ｃと、を有している。
【００５０】
ここで、装飾図柄表示制御手段２１５２ａは、メイン側情報一時記憶手段２１５１ａ内に一時記憶された主制御装置１０００側からの図柄情報（特に当否情報、変動時間）及び後述するサブパターン番号に基づき、装飾図柄の停止図柄と変動態様を決定するための装図表示内容決定手段２１５２ａ−１と、装飾図柄や装飾図柄の変動態様に関するデータ（各種オブジェクトデータ、動画像データ、音声データ等）を含め演出に関する一切のデータを記憶するための装図変動態様記憶手段２１５２ａ−２とを更に有している。
【００５１】
ここで、装図表示内容決定手段２１５２ａ−１は、装飾図柄の変動態様を決定する際に参照するための装図変動内容決定用抽選テーブル２１５２ａ−１−１と、装飾図柄の変動態様を決定する際に参照されるサブパターン番号を、装飾図柄の変動毎に決定するためのサブパターン番号決定手段２１５２ａ−１−２と、を有している。
【００５２】
ここで、表２は、本発明の特徴的要素の一つである装図変動内容決定用抽選テーブル２１５２ａ−１−１の一例である。表２から分かるように、装飾図柄の変動態様は、変動時間が異なる複数のグループに分けられており（「１０秒」、「２０秒」、「３０秒」、「６０秒」）、各グループは、変動時間は同一であるが内容が異なる３パターンの変動態様で構成されている。そして、変動態様には、グループ内での各変動態様を識別するためのサブパターン番号が割り当てられている（「１」〜「３」）。したがって、装飾図柄の変動態様を特定するための識別子は、変動時間＋サブパターン番号となる（本例では便宜上、識別子としてＮｏを設けている）。ここで、変動時間は特別図柄の変動態様と対応しており（即ち、装飾図柄の変動態様は、特別図柄の一変動態様に対して複数パターンの変動態様を有している）、サブパターン番号はサブパターン番号決定手段２１５２ａ−１−２が決定する値と対応している。尚、装飾図柄の変動態様を決定する処理の詳細については、後述のフローチャートの説明欄で説明することとする。
【表２】
2010029235.tif 000004
【００５３】
次に、サブパターン番号決定手段２１５２ａ−１−２は、サブパターン番号を決定する際に参照されるサブパターン番号加算値決定用抽選テーブル２１５２ａ−１−２−１と、サブパターン番号（１〜３）をカウント（一時記憶）可能なサブパターン番号カウンタ２１５２ａ−１−２−２と、を有している。尚、当該変動におけるサブパターン番号は、前回（前変動）のサブパターン番号に後述するサブバターン番号加算値を加算した番号である。また、サブパターン番号カウンタ２１５２ａ−１−２−２は、１〜３の値をとるインクリメントカウンタである（１→２→３→１→・・・）。
【００５４】
ここで、表３は、本発明の特徴的要素の一つであるサブパターン番号加算値決定用抽選テーブル２１５２ａ−１−２−１の一例である。ここで、当該テーブルは、当該変動におけるサブパターン番号を決定するため、前回のサブパターン番号に加算する値を決定する際に参照されるテーブルである。ここで、表中の「＋０」〜「＋２」は、前回のサブパターン番号に加算する値を示している。例えば、前回のサブパターン番号が「３」の場合に「＋１」が選択されると、当該変動におけるサブパターン番号は「１」となる。尚、表３から分かるように、本最良形態におけるサブパターン番号加算値決定用抽選テーブル２１５２ａ−１−２−１は、ハズレ時には「＋１」が選択され易くなるよう構成されている。したがって、ハズレ時はサブパターン番号が規則的に変化することになる（例えば、同一変動時間の変動態様が連続して選択された場合であっても、同じ変動態様が連続して実行され難くなる）。また、ハズレ時には「＋２」が選択され難く、当たり時には「＋２」が選択され易くなるよう構成されているので、サブパターン番号の変化が不規則（法則崩れ）の場合は期待度が高くなる（例えば、同一変動時間の変動態様が連続して選択された場合、通常は規則性をもって変動態様が実行されるところ、不規則に変動態様が実行されたときは期待度が高くなる）。更に、ハズレ時には「＋０」が選択されず、当たり時には「＋０」が選択され得るように構成されているので、サブパターン番号が変化しなかった場合は大当たりが確定となる（例えば、同一変動時間の変動態様が連続して選択された場合、同じ変動態様が連続して実行されると大当たり確定となる）。
【表３】
2010029235.tif 000005
【００５５】
次に、装図保留情報表示制御手段２１５２ｂは、現在の保留球数を一時記憶するための装図保留情報一時記憶手段２１５２ｂ−１を更に有している。
【００５６】
尚、演出表示制御手段２１５０は、その他にも、遊技効果ランプ１９０の点灯及び消灯や、スピーカ１１４からの音声出力等の演出処理といった、画像表示以外の演出に係る一切の制御を更に制御する。また、本最良形態においては、演出表示制御手段２１５０が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。
【００５７】
次に、補助遊技周辺機器２２００は、特図始動口２１１０の特図始動口電動役物２１１２の開放の契機となる普図始動口２２１０と、普通図柄の停止表示及び変動表示が可能な普通図柄表示装置２２２０とを有している。
【００５８】
尚、特別図柄表示装置２１３０及び普通図柄表示装置２２２０が、主制御装置１０００と情報伝達可能に接続されており、残る演出表示装置２１４０が、演出表示制御手段２１５０と情報伝達可能に接続されている。即ち、特別図柄表示装置２１３０及び普通図柄表示装置２２２０は、主制御装置１０００により制御され、演出表示装置２１４０は、演出表示制御手段２１５０により夫々制御されることを意味する。尚、主制御装置１０００と片方向通信により制御される他の周辺機器を介して、別の周辺機器を制御するように構成してもよい。
【００５９】
次に、図４〜図１６のフローチャートを参照しながら、本最良形態に係るパチンコ遊技機の処理の流れを説明する。はじめに、図４〜図１２のフローチャートを参照しながら、本最良形態に係るパチンコ遊技機のメイン基板側での処理の流れを説明する。まず、図４は、主制御装置１０００が行う一般的な処理の流れを示したメインフローチャートである。まず、ステップ１１００で、主制御装置１０００は、後述の普通図柄当選乱数取得処理を実行する。次に、ステップ１２００で、主制御装置１０００は、後述の電チュー駆動判定処理を実行する。次に、ステップ１３００で、主制御装置１０００は、後述の遊技内容決定乱数取得処理を実行する。次に、ステップ１４００で、主制御装置１０００は、後述の特別図柄表示処理を実行する。次に、ステップ１５００で、主制御装置１０００は、後述の特別遊技作動条件判定処理を実行する。次に、ステップ１６００で、主制御装置１０００は、後述の特別遊技制御処理を実行する。次に、ステップ１７００で、主制御装置１０００（特に賞球払出決定手段１３００）は、遊技球が入賞した入賞口に基づき、賞球払出装置３０００を駆動して所定の賞球数の払出処理を行い、再びステップ１１００に戻る。以下、各サブルーチンに係る処理について詳述する。
【００６０】
まず、図５は、図４におけるステップ１１００のサブルーチンに係る、普通図柄当選乱数取得処理のフローチャートである。まず、ステップ１１０２で、普図始動口入球判定手段１１１２は、普図始動口２２１０の普図始動口入球検出装置２２１１から普図始動口入球情報を受信したか否かを判定する。ステップ１１０２でＹｅｓの場合、ステップ１１０４で、普図乱数取得判定実行手段１１２２は、普図保留情報一時記憶手段１１３２ａを参照し、保留球が上限（例えば４個）でないか否かを判定する。ステップ１１０４でＹｅｓの場合、ステップ１１０６で、普図乱数取得判定実行手段１１２２は、普通図柄当選乱数を取得する。次に、ステップ１１０８で、普図保留手段１１３２は、何個目の保留であるかという順番情報と共に、当該乱数を普図保留情報一時記憶手段１１３２ａにセットする形で保留球を１加算し、次の処理（電チュー駆動判定処理１２００）に移行する。尚、ステップ１１０２及びステップ１１０４でＮｏの場合も、次の処理（電チュー駆動判定処理１２００）に移行する。
【００６１】
次に、図６は、図４におけるステップ１２００のサブルーチンに係る、電チュー駆動判定処理のフローチャートである。まず、ステップ１２０２で、電チュー開閉制御手段１１６０は、補助遊技関連情報一時記憶手段１１９２ａを参照して、電チュー開放中フラグがオフであるか否かを判定する。ステップ１２０２でＹｅｓの場合、ステップ１２０４で、普図制御手段１１５２は、補助遊技関連情報一時記憶手段１１９２ａを参照して、普通図柄変動中フラグがオフであるか否かを判定する。ステップ１２０４でＹｅｓの場合、ステップ１２０６で、普図内容決定手段１１４２は、普図保留情報一時記憶手段１１３２ａを参照し、普通図柄に関する保留球があるか否かを判定する。ステップ１２０６でＹｅｓの場合、ステップ１２０８で、普図内容決定手段１１４２は、当該保留球に基づく普通図柄乱数及び遊技状態に基づき停止図柄を決定する。次に、ステップ１２１０で、普図変動時間管理手段１１５２ａは、遊技状態に基づき、普図変動管理用タイマ１１５２ａ−１に所定時間（例えば、時短遊技の場合には５秒、通常遊技の場合には３０秒）をセットする。そして、ステップ１２１２で、普図制御手段１１５２は、補助遊技関連情報一時記憶手段１１９２ａ内の普通図柄変動中フラグをオンにする。次に、ステップ１２１４で、普図保留手段１１３２は、普通図柄に関する当該保留球を１減算した上で普図保留情報一時記憶手段１１３２ａに記録されている保留情報を更新すると共に、普図制御手段１１５２は、普図変動管理用タイマ１１５２ａ−１をスタートした後、普図表示部２２２１上で普通図柄の変動表示を開始する。次に、ステップ１２１６で、普図変動時間管理手段１１５２ａは、普図変動管理用タイマ１１５２ａ−１を参照して、前記所定時間に到達したか否かを判定する。ステップ１２１６でＹｅｓの場合、ステップ１２１８で、普図制御手段１１５２は、普図表示部２２２１上で、前記ステップ１２０８で普図内容決定手段１１４２が決定した停止図柄を確定表示する。そして、ステップ１２２０で、普図制御手段１１５２は、補助遊技関連情報一時記憶手段１１９２ａ内の普通図柄変動中フラグをオフにする。次に、ステップ１２２２で、条件判定手段１１６１は、当該停止図柄が「当たり」であるか否かを判定する。ステップ１２２２でＹｅｓの場合、ステップ１２２４で、電チュー開閉制御手段１１６０は、遊技状態に基づき、開放タイマ１１６２に所定時間（例えば、時短遊技の場合には５秒、通常遊技の場合には０．５秒）セットする。次に、ステップ１２２６で、電チュー開閉制御手段１１６０は、補助遊技関連情報一時記憶手段１１９２ａ内の電チュー開放中フラグをオンにする。そして、ステップ１２２８で、電チュー開閉制御手段１１６０は、特図始動口２１１０の特図始動口電動役物２１１２を開放する。次に、ステップ１２３０で、電チュー開閉制御手段１１６０は、開放タイマ１１６２を参照して、前記所定時間に到達したか否かを判定する。ステップ１２３０でＹｅｓの場合、ステップ１２３２及びステップ１２３４で、電チュー開閉制御手段１１６０は、特図始動口２１１０の特図始動口電動役物２１１２を閉鎖すると共に、補助遊技関連情報一時記憶手段１１９２ａ内の電チュー開放中フラグをオフにし、次の処理（特別遊技内容決定乱数取得処理１３００）に移行する。
【００６２】
尚、ステップ１２０２でＮｏの場合はステップ１２３０に移行し、ステップ１２０４でＮｏの場合はステップ１２１６に移行し、ステップ１２０６、ステップ１２１６、ステップ１２２２及びステップ１２３０でＮｏの場合は次の処理（特別遊技内容決定乱数取得処理１３００）に移行する。
【００６３】
次に、図７は、図４におけるステップ１３００のサブルーチンに係る、特別遊技内容決定乱数取得処理のフローチャートである。まず、ステップ１３０２で、特図始動口入球判定手段１１１１は、特図始動口２１１０の特図始動口入球検出装置２１１１から特図始動口入球情報を受信したか否かを判定する。ステップ１３０２でＹｅｓの場合、ステップ１３０４で、特図乱数取得判定実行手段１１２１は、特図保留情報一時記憶手段１１３１ａを参照し、保留球が上限（例えば４個）でないか否かを判定する。ステップ１３０４でＹｅｓの場合、ステップ１３０６で、特図乱数取得判定実行手段１１２１は、遊技内容決定乱数（当選乱数、変動態様決定乱数、特別図柄決定乱数等）を取得し、特図保留手段１１３１が、何個目の保留であるかという順番情報と共に、当該乱数を特図保留情報一時記憶手段１１３１ａにセットする。そして、ステップ１３０８で、情報送信手段１２００は、特図保留情報一時記憶手段１１３１ａを参照し、当該乱数が何個目の保留として記憶されたのかの情報を取得すると共に、当該情報を演出表示制御手段２１５０側に送信し、次の処理（特別図柄表示処理１４００）に移行する。尚、ステップ１３０２及びステップ１３０４でＮｏの場合も、次の処理（特別図柄表示処理１４００）に移行する。
【００６４】
次に、図８は、図７におけるステップ１４００のサブルーチンに係る、特別図柄表示処理のフローチャートである。まず、ステップ１４０２で、特図内容決定手段１１４１は、変動開始条件が成立しているか否かを判定する。ここで、この変動開始条件は、特別遊技中や特別図柄変動中でないことが条件となる。
【００６５】
ステップ１４０２でＹｅｓの場合、ステップ１４０４で、特図内容決定手段１１４１は、特図保留情報一時記憶手段１１３１ａに一時記憶されている、今回の図柄変動に係る遊技内容決定乱数を読み出す。次に、ステップ１４０６で、当否抽選手段１１３５は、遊技内容決定乱数（当選乱数）及び遊技状態に基づき、特図用大当たり抽選テーブル１１３５ｂ−１及び特図用小当たり抽選テーブル１１３５ｂ−２を参照し、特別図柄当否（大当たり、小当たり）抽選を実行する。尚、当否抽選に際しては、先に大当たり抽選テーブルを参照して大当たり抽選を実行し、大当たり抽選にはずれた場合、更に小当たり抽選テーブルを参照して小当たり抽選を実行する。そして、ステップ１４０８で、特別遊技移行決定手段１１３５ａは、抽選結果が当たりか否かを判定する。ステップ１４０８でＹｅｓの場合、ステップ１４１０で、特別遊技移行決定手段１１３５ａは、フラグ一時記憶手段１１９１ａ内の当たりフラグをオンにする。他方、ステップ１４０８でＮｏの場合には、ステップ１４１０をスキップする。
【００６６】
そして、ステップ１４１２で、特図内容決定手段１１４１は、特図内容決定用抽選テーブル１１４１ａ内の各抽選テーブルを参照し、遊技内容決定乱数（例えば、特別図柄決定乱数、変動態様決定乱数）に基づいて特別図柄に関する停止図柄及び変動態様を決定し、これらを特図情報一時記憶手段１１９１ｂに一時記憶する。尚、前記参照されるテーブルは、当否結果・遊技状態・保留球数に基づいて決定される（以下も同様）。また、当たりに関しては、大当たりと小当たりがあるが、これらが区別された形で停止図柄及び変動態様が選択されるよう構成されている限り、それぞれ別々のテーブルを用いて表示内容を決定するよう構成しても、同一テーブルを用いて表示内容を決定するよう構成してもよい（以下も同様）。次に、ステップ１４１４で、情報送信手段１２００は、ステップ１４１２で決定した特別図柄に関する図柄情報（停止図柄情報、停止図柄の属性情報、変動態様情報等）を演出表示制御手段２１５０側に送信する。次に、ステップ１４１６で、特図変動時間管理手段１１５１ａが、所定時間（前記ステップ１４１２で決定した変動態様に係る変動時間）を特図変動管理用タイマ１１５１ａ−１にセットする。そして、ステップ１４１８で、特図制御手段１１５１は、特別図柄表示装置２１３０の特図表示部２１３１上で、特図情報一時記憶手段１１９１ｂに記憶された変動態様に従い、特別図柄の変動表示を開始する。次に、ステップ１４２０で、特図制御手段１１５１は、フラグ一時記憶手段１１９１ａ内の変動中フラグをオンする。そして、ステップ１４２２で、特図変動時間管理手段１１５１ａが、所定時間に到達したか否かを判定する。ここで、ステップ１４２２でＮｏの場合には、次の処理（特別遊技作動条件判定処理１５００）に移行する。他方、ステップ１４２２でＹｅｓの場合、ステップ１４２４で、情報送信手段１２００は、所定時間に到達した旨のコマンドを演出表示制御手段２１５０側に送信する。次に、ステップ１４２６で、特図制御手段１１５１は、特別図柄表示装置２１３０の特図表示部２１３１上での特別図柄の変動表示を停止し、特図情報一時記憶手段１１９１ｂに記憶されている停止図柄を確定停止図柄として表示制御する。次に、ステップ１４２８で、特図制御手段１１５１は、フラグ一時記憶手段１１９１ａ内の変動中フラグをオフにする。そして、ステップ１４３０で、特図変動時間管理手段１１５１ａは、特図変動管理用タイマ１１５１ａ−１をリセットする。次に、ステップ１４５０で、主制御装置１０００は、後述の特定遊技終了判定処理を実行し、次の処理（特別遊技作動条件判定処理１５００）に移行する。
【００６７】
尚、ステップ１４０２でＮｏの場合には、ステップ１４３２で、特図制御手段１１５１は、フラグ一時記憶手段１１９１ａを参照し、変動中フラグがオンであるか否かを判定する。ステップ１４３２でＹｅｓの場合にはステップ１４２２に移行し、Ｎｏの場合には次の処理（特別遊技作動条件判定処理１５００）に移行する。
【００６８】
次に、図９は、図８におけるステップ１４５０のサブルーチンに係る、特定遊技終了判定処理のフローチャートである。まず、ステップ１４５２で、特定遊技制御手段１１８０は、時短回数カウンタ１１８１ａを参照して、時短回数カウンタ値が０よりも大きいか否かを判定する。ステップ１４５２でＹｅｓの場合、ステップ１４５４で、特定遊技制御手段１１８０は、時短回数カウンタ１１８１ａの時短回数カウンタ値を１減算する。次に、ステップ１４５６で、特定遊技制御手段１１８０は、時短回数カウンタ１１８１ａを参照して、時短回数が０であるか否かを判定する。ステップ１４５６でＹｅｓの場合、ステップ１４５８で、特定遊技制御手段１１８０は、補助遊技関連情報一時記憶手段１１９２ａ内の時間短縮フラグをオフにし、次の処理（特別遊技作動条件判定処理１５００）に移行する。尚、ステップ１４５２及びステップ１４５６でＮｏの場合にも、次の処理（特別遊技作動条件判定処理１５００）に移行する。
【００６９】
次に、図１０は、図４におけるステップ１５００のサブルーチンに係る、特別遊技作動条件判定処理のフローチャートである。まず、ステップ１５０２で、条件判定手段１１７１は、フラグ一時記憶手段１１９１ａを参照し、当たりフラグがオンであるか否かを判定する。ステップ１５０２でＹｅｓの場合、ステップ１５０４で、条件判定手段１１７１は、特別図柄表示装置２１３０の特図表示部２１３１上に表示された特別図柄が所定態様で停止したか否かを判定する。ステップ１５０４でＹｅｓの場合、ステップ１５０６で、特別遊技内容決定手段１１７２は、当該所定態様に基づき、特別遊技内容参照テーブル１１７２ａを参照することにより、当該特別遊技の内容を特別遊技関連情報一時記憶手段１１９１ｃにセットする。次に、ステップ１５０８で、特定遊技制御手段１１８０は、当該所定態様が小当たりでないか否かを判定する。ステップ１５０８でＹｅｓの場合、ステップ１５１０及びステップ１５１２で、特定遊技制御手段１１８０は、特定遊技フラグ（フラグ一時記憶手段１１９１ａ内の確率変動フラグ及び補助遊技関連情報一時記憶手段１１９２内の時間短縮フラグ）を一旦オフにすると共に、時短回数カウンタ１１８１ａをリセット（時短回数カウンタ値＝０）する。そして、ステップ１５１４及びステップ１５１６で、条件判定手段１１７１は、フラグ一時記憶手段１１９１ａ内の特別遊技移行許可フラグをオンにすると共に当たりフラグをオフにし、次の処理（特別遊技制御処理１６００）に移行する。尚、ステップ１５０２及びステップ１５０４でＮｏの場合は次の処理（特別遊技制御処理１６００）に移行し、ステップ１５０８でＮｏの場合はステップ１５１４に移行する。
【００７０】
次に、図１１は、図４におけるステップ１６００のサブルーチンに係る、特別遊技制御処理のフローチャートである。まず、ステップ１６０２で、特別遊技実行手段１１７３は、フラグ一時記憶手段１１９１ａを参照し、特別遊技移行許可フラグがオンであるか否かを判定する。ステップ１６０２でＹｅｓの場合、ステップ１６０４及びステップ１６０６で、特別遊技実行手段１１７３は、フラグ一時記憶手段１１９１ａ内の特別遊技移行許可フラグをオフにすると共に特別遊技実行フラグをオンにする。次に、ステップ１６０８で、情報送信手段１２００は、演出表示制御手段２１５０側に特別遊技開始信号を送信し、ステップ１６１２に移行する。他方、ステップ１６０２でＮｏの場合、ステップ１６１０で、特別遊技実行手段１１７３は、フラグ一時記憶手段１１９１ａを参照し、特別遊技実行フラグがオンであるか否かを判定する。そして、ステップ１６１０でＹｅｓの場合には、ステップ１６１２に移行する。尚、ステップ１６１０でＮｏの場合には、特別遊技実行手段１１７３は、特別遊技の許可が下りていないと判定し、次の処理（賞球払出処理１７００）に移行する。
【００７１】
次に、ステップ１６１２で、特別遊技実行手段１１７３は、フラグ一時記憶手段１１９１ａを参照し、ラウンド継続フラグがオンであるか否か、換言すれば、当該ラウンドが途中であるか否かを判定する。ステップ１６１２でＹｅｓの場合、即ち、当該ラウンドが途中である場合、以下で詳述するステップ１６１４〜１６２２の処理を行うことなく、ステップ１６２４に移行する。他方、ステップ１６１２でＮｏの場合、即ち、当該ラウンドの開始直前である場合、まず、ステップ１６１４で、特別遊技実行手段１１７３は、特別遊技関連情報一時記憶手段１１９１ｃにセットした開放パターン（例えば、開放し続ける開放パターン、開閉を行うパターン）をセットする（例えば、小当たりの開放パターンとしては、０．５秒開放→０．８秒閉鎖→０．５秒開放、という開放パターンをセットする）。次に、ステップ１６１６で、特別遊技実行手段１１７３は、特別遊技関連情報一時記憶手段１１９１ｃ内の入賞球カウンタをゼロクリアする。次に、ステップ１６１８で、特別遊技実行手段１１７３は、特別遊技関連情報一時記憶手段１１９１ｃ内のラウンド数カウンタに１を加算する。尚、特別遊技関連情報一時記憶手段１１９１ｃに記憶されているラウンド数は、特別遊技開始直後（初期値）は０であり、以後ラウンドを重ねていく毎に１ずつインクリメントされる。次に、ステップ１６２０で、特別遊技実行手段１１７３は、フラグ一時記憶手段１１９１ａ内のラウンド継続フラグをオンにする。そして、ステップ１６２２で、特別遊技実行手段１１７３は、大入賞口２１２０の大入賞口電動役物２１２２を駆動して大入賞口２１２０を開放し、ステップ１６２４に移行する。
【００７２】
次に、ステップ１６２４で、情報送信手段１２００は、演出表示制御手段２１５０側に現在の遊技状態情報（例えば、現在のラウンド数や遊技球の入賞個数等）を送信する。そして、ステップ１６２６で、特別遊技実行手段１１７３は、特別遊技関連情報一時記憶手段１１９１ｃを参照して当該ラウンドで所定球（例えば１０球）の入賞球があったか否かを判定する。ステップ１６２６でＹｅｓの場合には、ステップ１６３０に移行する。他方、ステップ１６２６でＮｏの場合、ステップ１６２８で、特別遊技実行手段１１７３は、特別遊技用タイマ１１７４ａ（特に開放時間タイマ）を参照して所定時間が経過したか否かを判定する。ステップ１６２６でＹｅｓの場合にも、ステップ１６３０に移行し、Ｎｏの場合には、次の処理（賞球払出処理１７００）に移行する。
【００７３】
次に、ステップ１６３０で、特別遊技実行手段１１７３は、大入賞口２１２０の大入賞口電動役物２１２２の駆動を停止して大入賞口２１２０を閉鎖する。そして、ステップ１６３２で、特別遊技実行手段１１７３は、特別遊技用タイマ１１７４ａ（特に開放時間タイマ）をリセットする。次に、ステップ１６３４で、特別遊技実行手段１１７３は、フラグ一時記憶手段１１９１ａ内のラウンド継続フラグをオフにする。次に、ステップ１６３６で、特別遊技実行手段１１７３は、特別遊技関連情報一時記憶手段１１９１ｃを参照して、当該ラウンドが最終ラウンド（例えば、確率変動大当たり及び時間短縮変動大当たりの場合は１５ラウンド、突然確率変動大当たりの場合は２ラウンド、小当たりの場合は１ラウンド）であるか否かを判定する。ステップ１６３６でＹｅｓの場合、ステップ１６３８で、特別遊技実行手段１１７３は、フラグ一時記憶手段１１９１ａ内の特別遊技実行フラグをオフにする。次に、ステップ１６４０で、情報送信手段１２００は、演出表示制御手段２１５０側に特別遊技終了信号を送信する。そして、ステップ１６５０で、遊技制御手段１１００は、後述の特別遊技終了後の遊技状態決定処理を実行し、次の処理（賞球払出処理１７００）に移行する。尚、ステップ１６３６でＮｏの場合にも、次の処理（賞球払出処理１７００）に移行する。
【００７４】
次に、図１２は、図１１におけるステップ１６５０のサブルーチンに係る、特別遊技終了後の遊技状態決定処理のフローチャートである。まず、ステップ１６５２で、特定遊技制御手段１１８０は、特図情報一時記憶手段１１９１ｂを参照し、今回の特別遊技が確率変動大当たり又は突然確率変動大当たりであるか否かを判定する。ステップ１６５２でＹｅｓの場合、ステップ１６５４及びステップ１６５６で、特定遊技制御手段１１８０は、フラグ一時記憶手段１１９１ａ内の確率変動フラグ及び補助遊技関連情報一時記憶手段１１９２内の時間短縮フラグを夫々オンにし、次の処理（賞球払出処理１７００）に移行する。
【００７５】
他方、ステップ１６５２でＮｏの場合、ステップ１６５８で、特定遊技制御手段１１８０は、特図情報一時記憶手段１１９１ｂを参照し、今回の特別遊技が時間短縮変動大当たりであるか否かを判定する。ステップ１６５８でＹｅｓの場合、ステップ１６６０及びステップ１６６２で、特定遊技制御手段１１８０は、補助遊技関連情報一時記憶手段１１９２内の時間短縮フラグをオンにすると共に、時短回数カウンタ１１８１ａに時短回数カウンタ値として所定値（例えば１００）をセットし、次の処理（賞球払出処理１７００）に移行する。尚、ステップ１６５８でＮｏの場合、即ち、今回の特別遊技が小当たりである場合にも、次の処理（賞球払出処理１７００）に移行する。
【００７６】
次に、図１３〜図１６のフローチャートを参照しながら、本最良形態に係るパチンコ遊技機のサブ基板側での処理の流れを説明する。まず、ステップ６１００で、演出表示制御手段２１５０は、後述する装飾図柄表示内容決定処理を実行する。次に、ステップ６２００で、演出表示制御手段２１５０は、後述する装飾図柄表示制御処理を実行する。そして、ステップ６３００で、演出表示制御手段２１５０は、後述する特別遊技中表示制御処理を実行し、ステップ６１００に戻る処理を繰り返す。以下、各サブルーチンに係る処理について詳述する。
【００７７】
次に、図１４は、図１３でのステップ６１００のサブルーチンに係る、装飾図柄表示内容決定処理のフローチャートである。まず、ステップ６１０２で、装図表示内容決定手段２１５２ａ−１は、メイン側情報一時記憶手段２１５１ａを参照し、主制御装置１０００側から新たな図柄情報を受信したか否かを判定する。ステップ６１０２でＹｅｓの場合、ステップ６１１０で、サブパターン番号決定手段２１５２ａ−１−２は、メイン側情報一時記憶手段２１５１ａ内に一時記憶された主制御装置１０００側からの図柄情報（当否情報）に基づき、サブパターン番号加算値決定用抽選テーブル２１５２ａ−１−２−１を参照し、サブパターン番号に加算する値を抽選で決定する。次に、ステップ６１１２で、サブパターン番号決定手段２１５２ａ−１−２は、サブパターン番号カウンタ２１５２ａ−１−２−２に一時記憶されているサブパターン番号に、前記決定したサブパターン番号加算値を加算する。次に、ステップ６１１４で、装図表示内容決定手段２１５２ａ−１は、メイン側情報一時記憶手段２１５１ａ内に一時記憶された主制御装置１０００側からの図柄情報に基づき、装図変動内容決定用抽選テーブル２１５２ａ−１−１を参照して、装飾図柄の変動態様と停止図柄を決定すると共に、当該決定情報を演出表示関連情報一時記憶手段２１５２ｃの図柄関連情報エリアに一時記憶する。ここで、本発明の特徴的処理である、変動態様の決定処理をより具体的に説明する。まず、装図表示内容決定手段２１５２ａ−１は、メイン側情報一時記憶手段２１５１ａ内に一時記憶されている主制御装置１０００側からの図柄情報｛特別図柄の変動時間に関する情報（変動態様ＩＤ情報）｝をキーにして、装図変動内容決定用抽選テーブル２１５２ａ−１−１内から装飾図柄の変動態様を選択（抽出）する。即ち、特別図柄の変動時間と同一時間の装飾図柄の変動態様を選択（抽出）する（例えば、特別図柄の変動時間が「３０秒」の場合、装飾図柄の変動態様として「Ｎｏ７〜Ｎｏ９」が抽出される）。次に、装図表示内容決定手段２１５２ａ−１は、サブパターン番号カウンタ２１５２ａ−１−２−２に一時記憶されている前記決定したサブパターン番号をキーにして、前記選択（抽出）した装飾図柄の変動態様から一つの装飾図柄の変動態様を決定（特定）する（例えば、サブパターン番号が「２」の場合、当該変動における装飾図柄の変動態様は「Ｎｏ８」となる）。そして、装図表示内容決定手段２１５２ａ−１は、当該決定情報を演出表示関連情報一時記憶手段２１５２ｃの図柄関連情報エリアに一時記憶する。そして、ステップ６１０６で、装図表示内容決定手段２１５２ａ−１は、演出表示関連情報一時記憶手段２１５２ｃのフラグエリア内の図柄内容決定フラグをオンにし、次の処理（装飾図柄表示制御処理６２００）に移行する。尚、ステップ６１０２でＮｏの場合にも、次の処理（装飾図柄表示制御処理６２００）に移行する。
【００７８】
次に、図１５は、図１３でのステップ６２００のサブルーチンに係る、装飾図柄表示制御処理のフローチャートである。まず、ステップ６２０２で、装飾図柄表示制御手段２１５２ａは、演出表示関連情報一時記憶手段２１５２ｃのフラグエリアを参照し、図柄変動中フラグがオフであるか否かを判定する。ステップ６２０２でＹｅｓの場合、ステップ６２０４で、装飾図柄表示制御手段２１５２ａは、演出表示関連情報一時記憶手段２１５２ｃのフラグエリアを参照し、図柄内容決定フラグがオンであるか否かを判定する。ステップ６２０４でＹｅｓの場合、ステップ６２０６及びステップ６２０８で、装飾図柄表示制御手段２１５２ａは、演出表示関連情報一時記憶手段２１５２ｃのフラグエリア内の図柄変動中フラグをオンにすると共に、図柄内容決定フラグをオフにする。次に、ステップ６２１０で、装飾図柄表示制御手段２１５２ａは、演出表示関連情報一時記憶手段２１５２ｃの図柄関連情報エリア内に一時記憶された決定内容に従い、演出表示装置２１４０の装図表示部２１４１上で装飾図柄の変動表示を開始する。
【００７９】
そして、ステップ６２１２で、装飾図柄表示制御手段２１５２ａは、メイン側情報一時記憶手段２１５１ａを参照し、主制御装置１０００側から確定表示コマンドを受信したか否かを判定する。ステップ６２１２でＹｅｓの場合、ステップ６２１４で、装飾図柄表示制御手段２１５２ａは、演出表示関連情報一時記憶手段２１５２ｃの図柄関連情報エリア内に一時記憶された決定内容（停止図柄）に従い、演出表示装置２１４０の装図表示部２１４１上で装飾図柄の停止図柄を確定表示する。そして、ステップ６２１６で、装飾図柄表示制御手段２１５２ａは、演出表示関連情報一時記憶手段２１５２ｃのフラグエリア内の図柄変動中フラグをオフにし、次の処理（特別遊技中表示制御処理６３００）に移行する。
【００８０】
尚、ステップ６２０２でＮｏの場合はステップ６２１２に移行し、ステップ６２０４及びステップ６２１２でＮｏの場合は次の処理（特別遊技中表示制御処理６３００）に移行する。
【００８１】
次に、図１６は、図１３でのステップ６３００のサブルーチンに係る、特別遊技中表示制御処理のフローチャートである。まず、ステップ６３０２で、表示制御手段２１５２は、演出表示関連情報一時記憶手段２１５２ｃのフラグエリアを参照し、特別遊技中フラグがオフであるか否かを判定する。ステップ６３０２でＹｅｓの場合、ステップ６３０４で、表示制御手段２１５２は、メイン側情報一時記憶手段２１５１ａを参照し、主制御装置１０００側から特別遊技開始信号を受信したか否かを判定する。ステップ６３０４でＹｅｓの場合、ステップ６３０６及びステップ６３０８で、表示制御手段２１５２は、演出表示関連情報一時記憶手段２１５２ｃのフラグエリア内の特別遊技中フラグをオンにすると共に、演出表示装置２１４０上で大当たり開始表示を行う。そして、ステップ６３１０で、表示制御手段２１５２は、演出表示装置２１４０上で、主制御装置１０００側から逐次送信されている遊技情報に基づき、ラウンド数と入賞個数を逐次表示する（確率変動大当たり又は時間短縮変動大当たりの場合のみ表示する）。ここで、突然確率変動大当たり及び小当たりである場合には、ラウンド数表示をすると、今回の当たりが「突然確率変動大当たり」及び「小当たり」のいずれであるかが遊技者に分かってしまうので、これらの当たりの場合には、当該処理においてラウンド数表示等を実行しない。次に、ステップ６３１２で、表示制御手段２１５２は、メイン側情報一時記憶手段２１５１ａを参照し、主制御装置１０００側から特別遊技終了信号を受信したか否かを判定する。ステップ６３１２でＹｅｓの場合、ステップ６３１４で、表示制御手段２１５２は、演出表示装置２１４０上で、大当たり終了表示を行う。そして、ステップ６３１６で、表示制御手段２１５２は、演出表示関連情報一時記憶手段２１５２ｃのフラグエリア内の特別遊技中フラグをオフにし、次の処理（装飾図柄表示内容決定処理６１００）に移行する。尚、ステップ６３０２でＮｏの場合はステップ６３１０に移行し、ステップ６３０４及びステップ６３１２でＮｏの場合は次の処理（装飾図柄表示内容決定処理６１００）に移行する。
【００８２】
次に、図１７を参照しながら、本最良形態に係るパチンコ遊技機の特徴的作用（画面表示例）を説明する。ここで、以下では、現在のサブパターン番号が「３」の状態で、特別図柄の変動態様として３０秒の変動｛Ｎｏ３（表１参照）｝が４回連続選択された場合を例に採って説明する。ここで、（１）は１〜４変動目までの全てがハズレ変動で、サブパターン番号が規則的に変化した場合（結果はハズレ）、（２）は１〜３変動目まではハズレ変動、４変動目は大当たり変動で、サブパターン番号が不規則に変化した場合（結果は大当たり）、（３）は１〜３変動目まではハズレ変動、４変動目は大当たり変動で、サブパターン番号が変化しなかった場合（結果は大当たり）、を夫々示している。以下、（１）〜（３）の態様について説明する。
【００８３】
まず、（１）の態様を説明する。まず、メイン側から特別図柄の図柄情報を受信すると、サブ側では、前記図柄情報（当否情報）に基づき、サブパターン番号に加算する値を抽選で決定する。ここでは「＋１」が決定されたため、現在のサブパターン番号（「３」）に「１」を加算し、当該変動におけるサブパターン番号は「１」となる。そして、前記図柄情報｛変動時間（３０秒）｝及び前記サブパターン番号（「１」）から、当該変動における装飾図柄の変動態様と停止図柄を決定し｛装飾図柄の変動態様として、Ｎｏ７を決定する（表２参照）｝、当該決定情報に従い、演出表示装置２１４０上で装飾図柄の変動を行う（１〜２段目）。そして、以後同様の処理を行い、３〜４段目では「Ｎｏ８」の変動、５〜６段目では「Ｎｏ９」の変動、７〜８段目では「Ｎｏ７」の変動を行う。
【００８４】
次に、（２）の態様を説明する。ここで、１〜６段目は（１）の態様と同一であるので、残る７〜８段目を説明する。まず、メイン側から特別図柄の図柄情報を受信すると、サブ側では、前記図柄情報（当否情報）に基づき、サブパターン番号に加算する値を抽選で決定する。ここでは「＋２」が決定されたため、現在のサブパターン番号（「３」）に「２」を加算し、当該変動におけるサブパターン番号は「２」となる。そして、前記図柄情報｛変動時間（３０秒）｝及び前記サブパターン番号（「２」）から、当該変動における装飾図柄の変動態様と停止図柄を決定し｛装飾図柄の変動態様として、Ｎｏ８を決定する（表２参照）｝、当該決定情報に従い、演出表示装置２１４０上で装飾図柄の変動を行う（７〜８段目）。そして変動終了後に特別遊技に移行する。
【００８５】
次に、（３）の態様を説明する。ここでは、（２）の態様と同様に、７〜８段目のみを説明する。まず、メイン側から特別図柄の図柄情報を受信すると、サブ側では、前記図柄情報（当否情報）に基づき、サブパターン番号に加算する値を抽選で決定する。ここでは「＋０」が決定されたため、現在のサブパターン番号（「３」）に「０」を加算し、当該変動におけるサブパターン番号は「３」となる。そして、前記図柄情報｛変動時間（３０秒）｝及び前記サブパターン番号（「３」）から、当該変動における装飾図柄の変動態様と停止図柄を決定し｛装飾図柄の変動態様として、Ｎｏ９を決定する（表２参照）｝、当該決定情報に従い、演出表示装置２１４０上で装飾図柄の変動を行う（７〜８段目）。そして変動終了後に特別遊技に移行する。
【００８６】
本最良形態によれば、主制御部及び副制御部を有しており、主制御部側での第一識別情報と副制御部側での第二識別情報とを同期させて表示するタイプのパチンコ遊技機において、第二識別情報の変動態様を決定するためのＩＤ情報を「主制御部からの変動時間情報」と「副制御部で管理する区別情報」とを組み合わせたものとし、かつ、当該区別情報を変動毎に切り替え得るよう構成したので、連続して同一の第二識別情報の変動態様が選択されず、かつ、一つの第二識別情報変動態様用抽選テーブルで済ませることが可能になるという効果を奏する。
【００８７】
更に、主制御部からの主遊技情報が所定情報である場合には、区別情報の書換えを不規則的に実行するか書換え自体を実行しないよう構成されているので、パターン崩れに基づく興奮感を遊技者に付与することが可能になるという効果を奏する。
【００８８】
次に、本最良形態の第一の変更例を説明する。本最良形態におけるサブパターン番号加算値決定用抽選テーブルは、各変動態様で共通の乱数範囲とするよう構成したが、これに限定されず、変動態様毎に異なる乱数範囲としてもよい。ここで、表４は、本変更例におけるサブパターン番号加算値決定用抽選テーブル２１５２ａ−１−２−１の一例である。
【表４】
2010029235.tif 000006
【００８９】
次に、本最良形態の第二の変更例を説明する。本最良形態におけるサブパターン番号カウンタ２１５２ａ−１−２−２は、各変動態様で共通のサブパターン番号を管理するよう構成したが、これに限定されず、変動態様毎のサブパターン番号を管理するように構成してもよい。
【００９０】
次に、本最良形態の第三の変更例を説明する。本最良形態ではいずれの変動時間についても複数パターンの装飾図柄変動態様が割り振られているが、これに限定されず、ある変動時間については一パターンの装飾図柄変動態様しか存在しなくてもよい。更には、ある変動時間については三パターンの装飾図柄変動態様であるが、別の変動時間については二パターンの装飾図柄変動態様である、といったように、すべての変動時間について同一数の装飾図柄変動態様が割り振られていなくともよい。ここで、表５は、本変更例における装図変動内容決定用抽選テーブル２１５２ａ−１の一例である。表５から分かるように、変動時間が１０秒の場合は一パターンの装飾図柄変動態様が存在し、変動態様が２０秒の場合は二パターンの装飾図柄変動態様が存在し、それ以外の場合は三パターンの装飾図柄変動態様が存在する。次に、本変更例における装飾図柄変動態様の決定処理について説明する。まず、変動時間が１０秒の場合は、サブパターン番号関連の処理を実行することなく、装飾図柄の変動態様と停止図柄を決定する。次に、変動時間が２０秒の場合は、当該変動におけるサブパターン番号が１〜２となるような処理（例えば、サブパターン番号が「３」になった場合には「１」に置き換える等）を行い、装飾図柄の変動態様と停止図柄を決定する。そして、変動時間が３０秒の場合は、最良形態と同様の処理を行い、装飾図柄の変動態様と停止図柄を決定する。
【表５】
2010029235.tif 000007
【００９１】
次に、本最良形態の第四の変更例を説明する。本最良形態ではサブパターン番号の抽選に際し当否情報のみを用いたがこれに限定されず、変動時間情報・図柄情報・特別遊技終了後の遊技状態情報等、メイン側から受信した他の情報の一又は複数を利用して抽選を行ってもよい。
【００９２】
次に、本最良形態の第五の変更例を説明する。本最良形態ではサブパターン番号の抽選に際しメイン側情報（当否情報）を用いたがこれに限定されず、メイン側の情報を全く利用しないで独自に抽選を行ってもよい。例えば、通常時は規則的にサブパターン番号を更新するよう構成した状況下で、サブ側での期待度の高い予告表示に当選した場合に限り、規則崩れとなるようなサブパターン番号を選択するよう構成してもよい。
【００９３】
次に、本最良形態の第六の変更例を説明する。本最良形態ではパターン崩れを構築することにより遊技に興趣性を持たせるよう構成したがこれにも限定されず、常時規則的にサブパターン番号を更新するよう構成してもよい。
【００９４】
本変更例によれば、変動の度に区別情報を規則的に実行するよう構成されているので、前の変動と次の変動とを確実に異ならしめることが可能になるという効果を奏する。
【図面の簡単な説明】
【００９５】
【図１】図１は、本発明の最良形態に係るパチンコ遊技機の正面図である。
【図２】図２は、本発明の最良形態に係るパチンコ遊技機の背面図である。
【図３】図３は、本発明の最良形態に係るパチンコ遊技機の機能ブロック図である。
【図４】図４は、本発明の最良形態に係るパチンコ遊技機における、主制御装置側でのメインフローチャートである。
【図５】図５は、本発明の最良形態に係るパチンコ遊技機における、主制御装置側での普通図柄当選乱数取得処理のフローチャートである。
【図６】図６は、本発明の最良形態に係るパチンコ遊技機における、主制御装置側での電チュー駆動判定処理のフローチャートである。
【図７】図７は、本発明の最良形態に係るパチンコ遊技機における、主制御装置側での特別遊技内容決定乱数取得処理のフローチャートである。
【図８】図８は、本発明の最良形態に係るパチンコ遊技機における、主制御装置側での特別図柄表示処理のフローチャートである。
【図９】図９は、本発明の最良形態に係るパチンコ遊技機における、主制御装置側での特定遊技終了判定処理のフローチャートである。
【図１０】図１０は、本発明の最良形態に係るパチンコ遊技機における、主制御装置側での特別遊技作動条件判定処理のフローチャートである。
【図１１】図１１は、本発明の最良形態に係るパチンコ遊技機における、主制御装置側での特別遊技制御処理のフローチャートである。
【図１２】図１２は、本発明の最良形態に係るパチンコ遊技機における、主制御装置側での特別遊技終了後の遊技状態決定処理のフローチャートである。
【図１３】図１３は、本発明の最良形態に係るパチンコ遊技機における、表示制御装置側でのメインフローチャートである。
【図１４】図１４は、本発明の最良形態に係るパチンコ遊技機における、表示制御装置側での装飾図柄表示内容決定処理のフローチャートである。
【図１５】図１５は、本発明の最良形態に係るパチンコ遊技機における、表示制御装置側での装飾図柄表示制御処理のフローチャートである。
【図１６】図１６は、本発明の最良形態に係るパチンコ遊技機における、表示制御装置側での特別遊技中表示制御処理のフローチャートである。
【図１７】図１７は、本発明の最良形態に係るパチンコ遊技機における作用を示す画面表示例である。
【符号の説明】
【００９６】
１１４１  特図内容決定手段
１１５１  特図制御手段
１１７０  特別遊技制御手段
１２００  情報送信手段
２１１０  特図始動口
２１２０  大入賞口
２１３１  特図表示部
２１４１  装図表示部
２１５２ａ  装飾図柄表示制御手段
２１５２ａ−１  装図表示内容決定手段
２１５２ａ−１−１  装図変動内容決定用抽選テーブル
２１５２ａ−１−２  サブパターン番号決定手段
２１５２ａ−１−２−２  サブパターン番号カウンタ
【図１】
2010029235.tif 000008
【図２】
2010029235.tif 000009
【図３】
2010029235.tif 000010
【図４】
2010029235.tif 000011
【図５】
2010029235.tif 000012
【図６】
2010029235.tif 000013
【図７】
2010029235.tif 000014
【図８】
2010029235.tif 000015
【図９】
2010029235.tif 000016
【図１０】
2010029235.tif 000017
【図１１】
2010029235.tif 000018
【図１２】
2010029235.tif 000019
【図１３】
2010029235.tif 000020
【図１４】
2010029235.tif 000021
【図１５】
2010029235.tif 000022
【図１６】
2010029235.tif 000023
【図１７】
2010029235.tif 000024